(57)【要約】  例示的な方法は、サービスとしてスモールセルコンピューティングリソースを与えること、ここにおいて、スモールセル中の基地局は、スモールセルコンピューティングリソースを与えるエッジコンピューティングデバイスとコロケートされる、を含む。本方法は、エッジコンピューティングデバイスのスモールセルコンピューティングリソース上でアプリケーションをホストすること、アプリケーションは、スモールセル中のモバイルデバイスにとってアクセス可能である、をさらに含み得る。
2018525946.tif 000002
【特許請求の範囲】
【請求項１】
ワイヤレス通信のための方法であって、
サービスとしてスモールセルコンピューティングリソースを与えることと、ここにおいて、前記スモールセル中の基地局が、前記スモールセルコンピューティングリソースを与えるエッジコンピューティングデバイスとコロケートされる、
前記エッジコンピューティングデバイスの前記スモールセルコンピューティングリソース上でアプリケーションをホストすることと、前記アプリケーションが、前記スモールセル中のモバイルデバイスにとってアクセス可能である、
を備える、方法。
【請求項２】
第２のスモールセルへの前記モバイルデバイスのワイヤレス通信を容易にすることと、
前記スモールセルから前記第２のスモールセルに前記アプリケーションのホスティングを移転することと
をさらに備える、請求項１に記載の方法。
【請求項３】
前記モバイルデバイスのモバイルデバイスコンピューティングリソース上で前記アプリケーションを部分的に実行することと、
前記スモールセルコンピューティングリソース上で前記アプリケーションを部分的に実行することと
をさらに備える、請求項１に記載の方法。
【請求項４】
前記スモールセルコンピューティングリソース上で前記アプリケーションをホストすることが、
前記スモールセルコンピューティングリソース上で動作するように仮想マシンを構成することと、
前記仮想マシン上で前記アプリケーションをホストすることと
を備える、請求項１に記載の方法。
【請求項５】
前記スモールセルコンピューティングリソース上で前記アプリケーションをホストすることが、
前記モバイルデバイスに転送されるデータのコンテンツおよび適時性を決定するために前記スモールセルコンピューティングリソースを使用すること
を備える、請求項１に記載の方法。
【請求項６】
前記アプリケーションがサードパーティアプリケーションである、請求項１に記載の方法。
【請求項７】
前記スモールセルに前記アプリケーションに関連するサードパーティデータをキャッシュすること
をさらに備える、請求項１に記載の方法。
【請求項８】
前記基地局のワイヤレス通信リソースが、第１のモジュール中に格納され、
前記エッジコンピューティングデバイスが、前記第１のモジュールと通信している第２のモジュール中に格納される、請求項１に記載の方法。
【請求項９】
前記スモールセルが、ピコセル、フェムトセル、マイクロセル、またはＷｉ−Ｆｉ（登録商標）アクセスポイントのうちの１つである、請求項１に記載の方法。
【請求項１０】
前記スモールセルが、ワイヤレスワイドエリアネットワーク（ＷＷＡＮ）トランシーバとワイヤレスローカルエリアネットワーク（ＷＬＡＮ）トランシーバとを備える、請求項１に記載の方法。
【請求項１１】
ワイヤレス通信のための装置であって、
サービスとしてスモールセルコンピューティングリソースを与えるための手段と、ここにおいて、前記スモールセル中の基地局が、前記スモールセルコンピューティングリソースを与えるエッジコンピューティングデバイスとコロケートされる、
前記エッジコンピューティングデバイスの前記スモールセルコンピューティングリソース上でアプリケーションをホストするための手段と、前記アプリケーションが、前記スモールセル中のモバイルデバイスにとってアクセス可能である、
を備える、装置。
【請求項１２】
第２のスモールセルへの前記モバイルデバイスのワイヤレス通信を容易にするための手段と、
前記スモールセルから前記第２のスモールセルに前記アプリケーションのホスティングを移転するための手段と
をさらに備える、請求項１１に記載の装置。
【請求項１３】
前記モバイルデバイスのモバイルデバイスコンピューティングリソース上で前記アプリケーションを部分的に実行するための手段と、
前記スモールセルコンピューティングリソース上で前記アプリケーションを部分的に実行するための手段と
をさらに備える、請求項１１に記載の装置。
【請求項１４】
前記スモールセルコンピューティングリソース上で前記アプリケーションをホストするための手段が、
前記スモールセルコンピューティングリソース上で動作するように仮想マシンを構成するための手段と、
前記仮想マシン上で前記アプリケーションをホストするための手段と
を備える、請求項１１に記載の装置。
【請求項１５】
前記スモールセルコンピューティングリソース上で前記アプリケーションをホストするための手段が、
前記モバイルデバイスに転送されるデータのコンテンツおよび適時性を決定するために前記スモールセルコンピューティングリソースを使用するための手段
を備える、請求項１１に記載の装置。
【請求項１６】
前記アプリケーションがサードパーティアプリケーションである、請求項１１に記載の装置。
【請求項１７】
前記スモールセルに前記アプリケーションに関連するサードパーティデータをキャッシュするための手段
をさらに備える、請求項１１に記載の装置。
【請求項１８】
ワイヤレス通信のための装置であって、
プロセッサと、
前記プロセッサと電子通信しているメモリと、
前記メモリ中に記憶され、前記プロセッサによって実行されたとき、前記装置に、
サービスとしてスモールセルコンピューティングリソースを与えることと、ここにおいて、前記スモールセル中の基地局が、前記スモールセルコンピューティングリソースを与えるエッジコンピューティングデバイスとコロケートされる、
前記エッジコンピューティングデバイスの前記スモールセルコンピューティングリソース上でアプリケーションをホストすることと、前記アプリケーションが、前記スモールセル中のモバイルデバイスにとってアクセス可能である、
を行わせるように動作可能な命令と
を備える、装置。
【請求項１９】
前記メモリ中に記憶され、動作可能な命令が、前記プロセッサによって実行されたとき、前記装置に、
第２のスモールセルへの前記モバイルデバイスのワイヤレス通信を容易にすることと、
前記スモールセルから前記第２のスモールセルに前記アプリケーションのホスティングを移転することと
をさらに行わせる、請求項１８に記載の装置。
【請求項２０】
前記メモリ中に記憶され、動作可能な命令が、前記プロセッサによって実行されたとき、前記装置に、
前記モバイルデバイスのモバイルデバイスコンピューティングリソース上で前記アプリケーションを部分的に実行することと、
前記スモールセルコンピューティングリソース上で前記アプリケーションを部分的に実行することと
をさらに行わせる、請求項１８に記載の装置。
【請求項２１】
前記スモールセルコンピューティングリソース上で前記アプリケーションをホストすることを前記装置に行わせる前記命令が、前記装置に、
前記スモールセルコンピューティングリソース上で動作するように仮想マシンを構成することと、
前記仮想マシン上で前記アプリケーションをホストすることと
をさらに行わせる、請求項１８に記載の装置。
【請求項２２】
前記スモールセルコンピューティングリソース上で前記アプリケーションをホストすることを前記装置に行わせる前記命令が、前記装置に、
前記モバイルデバイスに転送されるデータのコンテンツおよび適時性を決定するために前記スモールセルコンピューティングリソースを使用すること
をさらに行わせる、請求項１８に記載の装置。
【請求項２３】
前記アプリケーションがサードパーティアプリケーションである、請求項１８に記載の装置。
【請求項２４】
前記メモリ中に記憶され、動作可能な命令が、前記プロセッサによって実行されたとき、前記装置に、
前記スモールセルに前記アプリケーションに関連するサードパーティデータをキャッシュすること
をさらに行わせる、請求項１８に記載の装置。
【請求項２５】
ワイヤレス通信のためのコードを記憶する非一時的コンピュータ可読媒体であって、前記コードが、
サービスとしてスモールセルコンピューティングリソースを与えることと、ここにおいて、前記スモールセル中の基地局が、前記スモールセルコンピューティングリソースを与えるエッジコンピューティングデバイスとコロケートされる、
前記エッジコンピューティングデバイスの前記スモールセルコンピューティングリソース上でアプリケーションをホストすることと、前記アプリケーションが、前記スモールセル中のモバイルデバイスにとってアクセス可能である、
を行うように実行可能な命令を備える、非一時的コンピュータ可読媒体。
【請求項２６】
前記コードが、
第２のスモールセルへの前記モバイルデバイスのワイヤレス通信を容易にすることと、
前記スモールセルから前記第２のスモールセルに前記アプリケーションのホスティングを移転することと
を行うように実行可能な命令をさらに備える、請求項２５に記載の非一時的コンピュータ可読媒体。
【請求項２７】
前記コードが、
前記モバイルデバイスのモバイルデバイスコンピューティングリソース上で前記アプリケーションを部分的に実行することと、
前記スモールセルコンピューティングリソース上で前記アプリケーションを部分的に実行することと
を行うように実行可能な命令をさらに備える、請求項２５に記載の非一時的コンピュータ可読媒体。
【請求項２８】
前記スモールセルコンピューティングリソース上で前記アプリケーションをホストするための前記コードが、
前記スモールセルコンピューティングリソース上で動作するように仮想マシンを構成することと、
前記仮想マシン上で前記アプリケーションをホストすることと
を行うように実行可能な命令をさらに備える、請求項２５に記載の非一時的コンピュータ可読媒体。
【請求項２９】
前記スモールセルコンピューティングリソース上で前記アプリケーションをホストするための前記コードが、
前記モバイルデバイスに転送されるデータのコンテンツおよび適時性を決定するために前記スモールセルコンピューティングリソースを使用すること
を行うように実行可能な命令をさらに備える、請求項２５に記載の非一時的コンピュータ可読媒体。
【請求項３０】
前記アプリケーションがサードパーティアプリケーションである、請求項２５に記載の非一時的コンピュータ可読媒体。
【発明の詳細な説明】
【技術分野】
【０００１】
相互参照
[0001]本特許出願は、本出願の譲受人に譲渡された、２０１５年８月２８日に出願された「Ｓｍａｌｌ  Ｃｅｌｌ  Ａｐｐｌｉｃａｔｉｏｎ  Ｐｌａｔｆｏｒｍ」と題する、Ｐａｒｋらによる米国特許出願第１４／８３９，７００号の優先権を主張する。
【背景技術】
【０００２】
[0002]本開示は、たとえば、ワイヤレス通信システムに関し、より詳細には、スモールセル基地局とコロケートされたエッジコンピューティングデバイスに関する。
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、空間および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]概して、ワイヤレス多元接続通信システムは、各々が複数のワイヤレスデバイスのための通信を同時にサポートする、いくつかの基地局を含むことができる。基地局は、ダウンストリームリンクおよびアップストリームリンク上でワイヤレスデバイスと通信することができる。各基地局は、セルのカバレージエリアと呼ばれることがあるカバレージ範囲を有する。これらの基地局のうちのいくつかは、ピコセル、フェムトセル、またはマイクロセルなどの低電力基地局であり得る。そのようなスモールセル基地局は、マクロセルよりも小さい地理的エリアをカバーし、ネットワークプロバイダのサービスに加入しているユーザ機器（ＵＥ）によるアクセスを可能にする。
【０００５】
[0005]現在のワイヤレスワイドエリアネットワーク（ＷＷＡＮ）は、概して、ＷＷＡＮの反対側のノードにアクセスするエンドユーザのワイヤレスデバイスから遠く離れて、移動体通信事業者のＷＷＡＮの外部のノード上にコンテンツおよびクラウドリソースを配置する。同様に、ワイヤレスローカルエリアネットワーク（ＷＬＡＮ）のユーザは、概して、これらのノード上のコンテンツおよびクラウドリソースにアクセスし、これにより、ノードは、同様に、ＷＬＡＮにアクセスするエンドユーザのワイヤレスデバイスから遠く離れたものになる。ＷＷＡＮの縁部の近くまたはＷＬＡＮ中でワイヤレスネットワークと通信しているエンドユーザが、それらのワイヤレスデバイスを介してコンテンツまたはサービスを要求するとき、コンテンツは、概して、ＷＷＡＮまたはＷＬＡＮを通してこれらのノードからダウンロードされ、無線リンクを介してワイヤレスデバイスに配信される。同じコンテンツを求める後続の要求によって、ノードからＷＷＡＮまたはＷＬＡＮを通してワイヤレスデバイスにコンテンツが再びダウンロードされることになる。さらに、ビデオトラフィックは、ＷＷＡＮおよびＷＬＡＮを介して送信されるデータのこれまでになく多い割合まで増加した。口コミビデオおよびライブテレビジョンプログラミングにより需要の予測不可能なスパイクは、表示およびコンテンツ解像度を増加し、拡張ユーザ特徴の導入はすべて、データ使用量のこの過成長に寄与している。要求されたコンテンツの重複は、バックホールおよびトランスポートネットワーク上のリソースを浪費する可能性がある。同様に、トラフィック輻輳が発生し得る高需要の時間中に、コンテンツ配信は、ユーザエクスペリエンスを低減するように影響を及ぼされる可能性がある。たとえば、要求されたデータを与えるコストが上昇する可能性があり、レイテンシまたはバッファリングが増加する可能性があり、および／または、たとえば、ビデオを低減品質レベルにトランスコードすることによって、配信データの品質が低減される可能性がある。
【０００６】
[0006]さらに、ワイヤレスデバイスは、限定されたバッテリー寿命および処理能力、特にモバイルデバイスを有することができる。ＷＷＡＮまたはＷＬＡＮ上での送信のためのコンテンツを復号および符号化することを含む、ワイヤレスデバイス上で実行されるアプリケーションおよびプロセスは、有意なモバイルデバイスリソースを使用することができる。これらのアプリケーションおよびプロセスの実行は、バッテリー寿命を短縮し、デバイスパフォーマンスを劣化させる可能性がある。
【発明の概要】
【０００７】
[0007]スモールセルは、ワイヤレスネットワークにおいてマクロセルインフラストラクチャのレベルの下で動作する無線アクセスノードである。スモールセルは、マイクロセルと、フェムトセルと、ピコセルと、Ｗｉ−Ｆｉ（登録商標）アクセスポイントと、ワイヤレスワイドエリアネットワーク（ＷＷＡＮ）機能とワイヤレスローカルエリアネットワーク（ＷＬＡＮ）機能とを統合するアクセスポイントとを含むことができる。スモールセルは、エッジコンピューティングデバイスとコロケートされ得る基地局を含むことができる。エッジコンピューティングデバイスは、スモールセル基地局内に統合されるか、またはスモールセルにおいてエッジコンピューティングリソースを与えるスモールセル基地局に通信可能に結合され、それの近傍にある物理的に別個のモジュールであり得る。スモールセル基地局は、ワイヤレスデバイスなどの別のコンピューティングデバイスにサービスとしてコンピューティングリソースを与え、または／ならびにサードパーティアプリケーションおよび他のスモールセルサービスを動作するためのプラットフォームおよび計算リソースを与えることができる。スモールセル基地局は、エッジコンピューティングリソースを使用して１つまたは複数のアプリケーションをホストすることができる。スモールセル基地局は、スモールセル基地局内のモバイルデバイスがアプリケーションを使用することを可能にすることができる。追加のコンピューティングリソースもスモールセル基地局に追加されることができる。
【０００８】
[0008]例示的な例の第１のセットでは、ワイヤレス通信のための方法について説明する。一構成では、本方法は、サービスとしてスモールセルコンピューティングリソースを与えること、ここにおいて、スモールセル中の基地局は、スモールセルコンピューティングリソースを与えるエッジコンピューティングデバイスとコロケートされる、を含む。本方法はまた、エッジコンピューティングデバイスのスモールセルコンピューティングリソース上でアプリケーションをホストすること、アプリケーションは、スモールセル中のモバイルデバイスにとってアクセス可能である、を含む。
【０００９】
[0009]例示的な例の第２のセットでは、ワイヤレス通信のための装置について説明する。一構成では、本装置は、プロセッサと、プロセッサと電子通信しているメモリと、メモリに記憶された命令とを含む。本命令は、プロセッサによって実行されたとき、本装置に、サービスとしてスモールセルコンピューティングリソースを与えること、ここにおいて、スモールセル中の基地局は、スモールセルコンピューティングリソースを与えるエッジコンピューティングデバイスとコロケートされる、を行わせるように動作可能である。本命令はまた、プロセッサによって実行されたとき、本装置に、エッジコンピューティングデバイスのスモールセルコンピューティングリソース上でアプリケーションをホストすること、アプリケーションは、スモールセル中のモバイルデバイスにとってアクセス可能である、を行わせるように動作可能である。
【００１０】
[0010]例示的な例の第３のセットでは、ワイヤレス通信のための装置について説明する。一構成では、本装置は、サービスとしてスモールセルコンピューティングリソースを与えるための手段、ここにおいて、スモールセル中の基地局は、スモールセルコンピューティングリソースを与えるエッジコンピューティングデバイスとコロケートされる、を含む。本装置は、エッジコンピューティングデバイスのスモールセルコンピューティングリソース上でアプリケーションをホストするための手段、アプリケーションは、スモールセル中のモバイルデバイスにとってアクセス可能である、をさらに含む。
【００１１】
[0011]例示的な例の第４のセットでは、ワイヤレス通信のためのコンピュータ実行可能コードを記憶する非一時的コンピュータ可読媒体について説明する。一構成では、コンピュータ実行可能コードは、ワイヤレスデバイスに、サービスとしてスモールセルコンピューティングリソースを与えること、ここにおいて、スモールセル中の基地局は、スモールセルコンピューティングリソースを与えるエッジコンピューティングデバイスとコロケートされる、を行わせるようにプロセッサによって実行可能である。コンピュータ実行可能コードは、ワイヤレスデバイスに、エッジコンピューティングデバイスのスモールセルコンピューティングリソース上でアプリケーションをホストすること、アプリケーションは、スモールセル中のモバイルデバイスにとってアクセス可能である、を行わせるようにプロセッサによってさらに実行可能である。
【００１２】
[0012]本方法、装置、通信デバイス、および非一時的コンピュータ可読媒体のいくつかの例としては、第２のスモールセルへのモバイルデバイスのワイヤレス通信を容易にすることと、スモールセルから第２のスモールセルにアプリケーションのホスティングを移転することとがある。他の例としては、モバイルデバイスのモバイルデバイスコンピューティングリソース上でアプリケーションを部分的に実行することと、スモールセルコンピューティングリソース上でアプリケーションを部分的に実行することとがある。さらに、本方法、装置、通信デバイス、および非一時的コンピュータ可読媒体は、スモールセルにアプリケーションに関連するサードパーティデータをキャッシュすることを含む。
【００１３】
[0013]いくつかの例では、スモールセルコンピューティングリソース上でアプリケーションをホストすることは、スモールセルコンピューティングリソース上で動作するように仮想マシンを構成することと、仮想マシン上でアプリケーションをホストすることとをさらに含む。いくつかの例では、スモールセルコンピューティングリソース上でアプリケーションをホストすることは、モバイルデバイスに転送されるデータのコンテンツおよび適時性を決定するためにスモールセルコンピューティングリソースを使用することを含む。
【００１４】
[0014]アプリケーションは、サードパーティアプリケーションであり得る。いくつかの例では、基地局のワイヤレス通信リソースは、第１のモジュール中に格納され、エッジコンピューティングデバイスは、第１のモジュールと通信している第２のモジュール中に格納される。スモールセルは、ピコセル、フェムトセル、マイクロセル、またはＷｉ−Ｆｉアクセスポイントのうちの１つであり得る。スモールセルは、ワイヤレスワイドエリアネットワーク（ＷＷＡＮ）トランシーバとワイヤレスローカルエリアネットワーク（ＷＬＡＮ）トランシーバとを含み得る。
【００１５】
[0015]上記では、以下の発明を実施するための形態がよりよく理解され得るように、本開示による例の特徴および技術的利点をかなり広く概説した。さらなる特徴および利点について、以下で説明する。開示される概念および具体例は、本開示の同じ目的を実行するために他の構造を修正または設計するための基礎として容易に利用されることができる。そのような均等な構成は、添付の特許請求の範囲から逸脱しない。本明細書で開示される概念の特性、それらの編成と動作方法の両方は、関連する利点とともに、添付の図に関して検討すると、以下の説明からよりよく理解されよう。図の各々は、例示および説明のみの目的で提供されるものであり、特許請求の範囲の制限の定義として提供されるものではない。
【図面の簡単な説明】
【００１６】
[0016]以下の図面を参照すれば、本発明の性質および利点のさらなる理解が得られることができる。添付の図において、同様の構成要素または特徴は同じ参照ラベルを有することができる。さらに、同じタイプの様々な構成要素は、参照ラベルの後に、ダッシュと、同様の構成要素を区別する第２のラベルとを続けることによって区別されることができる。第１の参照ラベルのみが本明細書において使用される場合、その説明は、第２の参照ラベルにかかわらず、同じ第１の参照ラベルを有する同様の構成要素のうちのいずれか１つに適用可能である。
【図１Ａ】[0017]本開示の様々な態様による、ワイヤレス通信システムのブロック図。
【図１Ｂ】[0018]本開示の様々な態様による、ワイヤレス通信システムのブロック図。
【図２】[0019]本開示の様々な態様による、エッジコンピューティングプラットフォームをサポートするためにワイヤレス通信において使用するために構成されたデバイスのブロック図。
【図３】[0020]本開示の様々な態様による、エッジコンピューティングプラットフォームをサポートするためにワイヤレス通信において使用するために構成された別のデバイスのブロック図。
【図４】[0021]本開示の様々な態様による、スモールセル基地局とコロケートされたエッジコンピューティングリソースを与えるために構成されたスモールセルを示す図。
【図５】[0022]本開示の様々な態様による、別のワイヤレス通信システムのブロック図。
【図６】[0023]本開示の様々な態様による、スモールセル基地局とコロケートされたエッジコンピューティングリソースを与えるために構成されたエッジコンピューティングデバイスを示す図。
【図７】[0024]本開示の様々な態様による、ワイヤレス通信のための方法の例を示すプロセスフロー。
【図８】[0025]本開示の様々な態様による、ワイヤレス通信のための方法の例を示すプロセスフローおよびフローチャート。
【図９】本開示の様々な態様による、ワイヤレス通信のための方法の例を示すプロセスフローおよびフローチャート。
【発明を実施するための形態】
【００１７】
[0026]以下の説明では、エッジコンピューティングデバイスは、スモールセル基地局とコロケートされることができる。スモールセル基地局は、認可スペクトルおよび無認可スペクトルで動作するワイヤレスワイドエリアネットワーク（ＷＷＡＮ）無線機を含むことができる。ＷＷＡＮ無線機は、他の無認可帯域技術との動作を可能にする適応を含むことができる。スモールセル基地局は、ＷＷＡＮ無線機を有することに加えて、ＷＬＡＮ（たとえば、Ｗｉ−Ｆｉ、Ｗｉ−ＭＡＸ、ＺｉｇＢｅｅ（登録商標）、Ｂｌｕｅｔｈｏｏｔｈなど）に接続するためにワイヤレスローカルエリアネットワーク（ＷＬＡＮ）無線機を有することができる。したがって、スモールセル基地局はまた、本開示に従ってＷＬＡＮアクセスポイントとして働くことができる。スモールセルは、ワイヤレスネットワークにおいてマクロセルインフラストラクチャのレベルの下で動作する無線アクセスノード、たとえば、マイクロセル、フェムトセル、ピコセル、Ｗｉ−Ｆｉアクセスポイント、およびＷＷＡＮ機能とＷＬＡＮ機能とを統合するアクセスポイントである。さらに、スモールセルは、マクロセルと比較して小さい範囲を有する。エッジコンピューティングデバイスは、スモールセル基地局内に統合され得るか、またはスモールセル基地局と通信している物理的に別個のデバイスであり得る。いずれの場合も、エッジコンピューティングデバイスは、スモールセルのワイヤレスリソースを介してエッジコンピューティングデバイスと通信しているユーザのワイヤレスデバイスに近接していることがある。関連するワイヤレスデバイスの位置に対するスモールセル基地局の近傍は、ワイヤレスデバイスおよびそのユーザに拡張サポートおよびサービスを提供するために利用されることができる。
【００１８】
[0027]説明するエッジコンピューティングデバイスは、エッジコンピューティングデバイスと、スモールセルを通してエッジコンピューティングデバイスとワイヤレスに通信しているワイヤレスデバイスとの間のデータおよび／またはコンテンツの処理の動的分散をサポートすることができる。エッジコンピューティングデバイスはまた、コンテンツ、たとえば、ウェブページ、コンテンツ、およびデータをプリフェッチし、スモールセルに対して決定されたワイヤレスデバイスの特定のコンテキストに基づいてエッジコンピューティングデバイスにそれをキャッシュすることができる。エッジコンピューティングデバイスはまた、充実したローカル広告、拡張広告または他のコンテンツを与え、ワイヤレスデバイスユーザに近接している出力ディスプレイを使用したユーザのエクスペリエンスの拡張を可能にする広告サーバまたはエンジンをホストすることができる。そのような拡張の例としては、モバイルデバイス上のローカルマッピングデータの上に拡張現実画像を与えること、別のデバイス上に、たとえば、電気店中のテレビジョン、ディスプレイまたは他の出力デバイス上に音、光、および／または他の効果を追加することがあり得る。別の例では、異なる人々が電気店を動き回るにつれて彼らのロケーションを示すために、テレビジョンまたは他のディスプレイ上の異なる色の明滅ライトが使用されることができる。拡張は、たとえば、モバイルまたはワイヤレスデバイスのユーザに音、におい、光などによる視覚的刺激、あるいは泡または紙吹雪などの物体を与えることによる実際の現実のものであり得る。
【００１９】
[0028]本明細書で説明するエッジコンピューティングデバイスはまた、エッジコンピューティングデバイスにおいて広告を拡張するか、またはエッジコンピューティングデバイスの近くの出力においてユーザのエクスペリエンスを拡張するために、充実したローカル広告サーバとして動作することができる。本明細書で使用する広告は、たとえば、ユーザが製品またはサービスを購入するのを奨励するための商用広告に言及することができるが、同じく、ユーザへの情報の表示、通信、または他の頒布に言及することができる。たとえば、博物館は、博物館中に展示品がどこにあるのかを観衆のメンバーに知らせるために広告をユーザすることができる。別の例では、ビジネスは、どこに向かうべきなのかをユーザに知らせるために業務会議のロケーションを広告することをマイする。これらのコンピューティングリソース、ならびに剰余であるかまたはこの目的のために特に与えられ得る追加のコンピューティングリソースはまた、エッジコンピューティングデバイスにおいてサードパーティアプリケーションを含むホストアプリケーションに与えられ、スモールセルユーザのためのサービスを提供することができる。いくつかの例では、スモールセルプラットフォームは、予備の計算および他のリソースを有しないことがある隣接スモールセルのグループのためのホストアプリケーション／サービスに使用される（たとえば、スモールセルは異なる能力を有することができる）。剰余コンピューティングリソースは、最悪のプロセッサ負荷中での使用のための追加のコンピューティングリソースであり得る。総コンピューティングリソースと現在のプロセッサ負荷の下で使用されているコンピューティングリソースとの間の差が剰余コンピューティングリソースである。いくつかの例では、剰余コンピューティングリソースは、コンピューティングのニーズがあまりないときに電源切断され得るマルチコア設計の追加のコアである。別の例では、剰余コンピューティングリソースは、最大周波数のために設計されているが、現在低い周波数で動作しているコアであり得る。
【００２０】
[0029]説明するエッジコンピューティングデバイスは、ノードから離れて位置するが、代わりに、ワイヤレスに接続されたワイヤレスデバイス、すなわち、エンドユーザに極めて近接している。開示するエッジコンピューティングデバイスは、アンドエンドユーザの近くのデータのソースにおいてローカル分析および知識生成を行うことを可能にし、ラップトップ、スマートフォン、タブレットおよびセンサーなど、ネットワークと連続的に通信していないことがあるリソースを活用する。本明細書で説明するエッジコンピューティングデバイスは、ＷＷＡＮまたはＷＬＡＮと通信しているワイヤレスデバイスからの要求のための応答時間を改善し、ならびに、限定されたデータ接続がある環境において使用され得るデータの量を増加させることができる（たとえば、これは、無線アクセスネットワーク（ＲＡＮ）リソースが満たされた後に利用可能なバックホールによるものであり得る）。スモールセル基地局とコロケートされたエッジコンピューティングデバイスにおいてデータをプリフェッチすること、キャッシュすること、処理すること、および／またはサービスすることはまた、バックホールネットワークまたはインターネットに対する全体的な需要を低減し、コアネットワークとの間のシグナリングおよびユーザトラフィックを制限するのに役立ち得る。
【００２１】
[0030]以下の説明は、特許請求の範囲に記載された範囲、適用可能性、または実施形態を限定するものではない例を与えるものである。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わされ得る。また、いくつかの例に関して説明する特徴は、他の例では組み合わされ得る。
【００２２】
[0031]図１Ａに、本開示の様々な態様による、ワイヤレス通信システム１００Ａの一例を示す。ワイヤレス通信システム１００Ａは、基地局１０５と、ワイヤレスデバイス１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ワイヤレスデバイス１１５との通信のための無線構成およびスケジューリングを実行し得るか、または基地局コントローラの制御下で動作することができる。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信することができる。
【００２３】
[0032]基地局１０５は、１つまたは複数の基地局アンテナを介してワイヤレスデバイス１１５とワイヤレス通信することができる。基地局１０５の各々は、それぞれの地理的カバレージエリア１１０に通信カバレージを与えることができる。いくつかの例では、基地局１０５は、トランシーバ基地局、無線基地局、アクセスポイント、無線トランシーバ、ノードＢ、ｅノードＢ（ｅＮＢ）、ホームノードＢ（ＨＮＢ）、ホームｅノードＢ（ＨｅＮＢ）、アクセスポイント、または他の何らかの適切な用語で呼ばれることがある。基地局１０５のための地理的カバレージエリア１１０は、カバレージエリアの一部分のみを構成するセクタに分割されることができる。ワイヤレス通信システム１００Ａは、異なるタイプの基地局１０５（たとえば、マクロ基地局および／またはスモールセル基地局）を含むことができる。異なる技術のための重複する地理的カバレージエリア１１０があり得る。
【００２４】
[0033]いくつかの例では、ワイヤレス通信システム１００Ａはロングタームエボリューション（ＬＴＥ（登録商標））またはＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用されることができ、ユーザ機器（ＵＥ）という用語は、概して、ワイヤレスデバイス１１５を表すために使用されることができる。ワイヤレス通信システム１００Ａは、異なるタイプのｅＮＢが様々な地理的領域にカバレージを与える、異種ＬＴＥ／ＬＴＥ−Ａネットワークであることができる。たとえば、各ｅＮＢまたは基地局１０５は、マクロセル、スモールセル、および／または他のタイプのセルに通信カバレージを与えることができる。「セル」という用語は、コンテキストに応じて、基地局、基地局に関連付けられたキャリアまたはコンポーネントキャリア、あるいはキャリアまたは基地局のカバレージエリア（たとえば、セクタなど）を表すために、「第３世代パートナーシッププロジェクト」（３ＧＰＰ（登録商標）：3rd Generation Partnership Project）と称する団体によって使用される用語である。
【００２５】
[0034]マクロセルは、概して、比較的大きい地理的エリア（たとえば、半径数キロメートル）をカバーし、ネットワークプロバイダのサービスに加入しているＵＥによる無制限アクセスを可能にすることができる。マクロセルのための基地局はマクロｅＮＢまたは基地局と呼ばれることがある。スモールセルは、マクロセルと比較して、マクロセル基地局と同じかまたは異なる（たとえば、認可、無認可などの）周波数帯域で動作し得る低電力基地局に関連付けられることができる。スモールセルのための基地局は、スモールセル、スモールセルｅＮＢ、スモールセル基地局、ピコｅＮＢまたはピコ基地局、フェムトｅＮＢまたはフェムト基地局、あるいはホームｅＮＢまたはホーム基地局と呼ばれることがある。スモールセルは、スモールセル基地局に関連する通信およびデバイスを指すことがある。たとえば、スモールセル基地局１５０−ａ−１は、地理的カバレージエリア１１０−ａ−１、ワイヤレスデバイス１１５−ａ−１、通信リンク１２５−ａ−１、ワイヤレスデバイス１１５−ａ−２、および通信リンク１３５−ａ−１に関連付けられることができる。同様に、スモールセル基地局１５０−ａ−２は、地理的カバレージエリア１１０−ａ−２、ワイヤレスデバイス１１５−ａ−３、通信リンク１２５−ａ−２、ワイヤレスデバイス１１５−ａ−４、および通信リンク１２５−ａ−３に関連付けられることができる。スモールセルは、様々な例によれば、ピコセルと、フェムトセルと、マイクロセルとを含むことができる。ピコセルは、比較的小さい地理的カバレージエリア１１０をカバーし得、ネットワークプロバイダのサービスに加入しているＵＥによる無制限アクセスを可能にすることができる。フェムトセルは、比較的小さい地理的エリア（たとえば、自宅）をもカバーし得、フェムトセルとの関連を有するＵＥ（たとえば、限定加入者グループ（ＣＳＧ：closed subscriber group）中のＵＥ、自宅、オープン、マルチオペレータの中のユーザのためのＵＥなど）による制限付きアクセスを与えることができる。フェムトセルは比較的小さい地理的フットプリントをカバーするので、フェムトセルのコンピューティングのニーズは、フェムトセルごとに著しく変動する可能性がある。たとえば、食品雑貨品店中の通路をカバーするフェムトセルは、図書館通路中のフェムトセルとは異なる責任負担を有する可能性がある。したがって、フェムトセルは、マクロセルとはコンピューティングのニーズの点で大きい相違を受ける可能性がある。
【００２６】
[0035]スモールセル基地局１５０はまた、ＷＬＡＮ無線機を含むことができ、さらに、ワイヤレスデバイス１１５のためのＷｉ−Ｆｉアクセスポイント（ＡＰ）として機能することができる。ワイヤレスデバイス１１５は、通信リンク１３５を使用したＷｉ−Ｆｉ機能を有するスモールセル基地局１５０と通信することができる。スモールセル基地局１５０はまた、ワイヤードまたはワイヤレスであり得る通信リンク１３６を使用して互いに直接通信することができ、同じく、バックホールリンク１３４を使用して互いに通信することができ。ワイヤレスデバイス１１５は、Ｗｉ−Ｆｉ専用デバイスであるか、またはＷｉ−Ｆｉ専用モードで動作することができる。
【００２７】
[0036]ワイヤレス通信システム１００Ａは同期動作または非同期動作をサポートすることができる。同期動作の場合、基地局１０５およびスモールセル基地局１５０は同様のフレームタイミングを有することができ、異なる基地局１０５またはスモールセル基地局１５０からの送信は近似的に時間的に整合されることができる。非同期動作の場合、基地局１０５およびスモールセル基地局１５０は異なるフレームタイミングを有することができ、異なる基地局１０５またはスモールセル基地局１５０からの送信は時間的に整合されないことがある。本明細書で説明する技法は同期動作または非同期動作のいずれにも使用されることができる。
【００２８】
[0037]ワイヤレスデバイス１１５はワイヤレス通信システム１００Ａ全体にわたって分散され、各ワイヤレスデバイス１１５は固定またはモバイルであり得る。ワイヤレスデバイス１１５は、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、ＵＥ、モバイルクライアント、クライアント、または何らかの他の好適な用語を含むか、またはそのように当業者によって呼ばれることもある。ワイヤレスデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ワイヤレスデバイス１１５は、マクロｅＮＢ、スモールセルｅＮＢ、リレー基地局などを含む、様々なタイプの基地局１０５、スモールセル基地局１５０、およびネットワーク機器と通信することが可能であり得る。
【００２９】
[0038]ワイヤレス通信システム１００Ａ中に示される通信リンク１２５は、ワイヤレスデバイス１１５から基地局１０５へのアップリンク（ＵＬ）送信、および／または基地局１０５からワイヤレスデバイス１１５へのダウンリンク（ＤＬ）送信を含むことができる。ダウンリンク送信は順方向リンク送信と呼ばれることもあり、アップリンク送信は逆方向リンク送信と呼ばれることもある。通信リンク１２５の各々は、異なる周波数の１つまたは複数の波形信号を搬送することが可能であり得る１つまたは複数のキャリアを含むことができる。波形信号は、上記で説明した様々な無線技術に従って変調されることができる。各被変調信号は、制御情報（たとえば、基準信号、制御チャネルなど）、オーバーヘッド情報、ユーザデータなどを搬送することができる。通信リンク１２５は、（たとえば、対スペクトルリソース(paired spectrum resources)を使用する）ＦＤＤ動作または（たとえば、不対スペクトルリソース(unpaired spectrum resources)を使用する）ＴＤＤ動作を使用して、双方向通信を送信することができる。ＦＤＤ用のフレーム構造（たとえば、フレーム構造タイプ１）およびＴＤＤ用のフレーム構造（たとえば、フレーム構造タイプ２）が定義されることができる。
【００３０】
[0039]ワイヤレス通信システム１００Ａのいくつかの実施形態では、基地局１０５、スモールセル基地局１５０、および／またはワイヤレスデバイス１１５は、基地局１０５、スモールセル基地局１５０とワイヤレスデバイス１１５との間の通信品質と信頼性とを改善するために、アンテナダイバーシティ方式を採用するために複数のアンテナを含むことができる。追加または代替として、基地局１０５、スモールセル基地局１５０、および／またはワイヤレスデバイス１１５は、同じまたは異なるコード化データを搬送する複数の空間レイヤを送信するために、マルチパス環境を利用することができる多入力多出力（ＭＩＭＯ）技法を採用することができる。
【００３１】
[0040]ワイヤレス通信システム１００Ａは、複数のセルまたはキャリア上での動作、すなわち、キャリアアグリゲーション（ＣＡ：carrier aggregation）またはマルチキャリア動作と呼ばれることがある特徴をサポートすることができる。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることができる。ワイヤレスデバイス１１５は、キャリアアグリゲーションのために、複数のダウンリンクＣＣと１つまたは複数のアップリンクＣＣとで構成されることができる。キャリアアグリゲーションは、ＦＤＤコンポーネントキャリアとＴＤＤコンポーネントキャリアの両方とともに使用されることができる。
【００３２】
[0041]いくつかの実施形態では、ワイヤレス通信システム１００ＡはＡＰ１５５を含むことができる。ワイヤレスデバイス１１５は、通信リンク１３５を使用してＡＰ１５５と通信することができ、各ワイヤレスデバイス１１５はまた、直接ワイヤレスリンクを介して１つまたは複数の他のワイヤレスデバイス１１５と直接通信することができる。２つ以上のワイヤレスデバイス１１５は、両方のワイヤレスデバイス１１５がＡＰ地理的カバレージエリア１１２にあるとき、または１つのワイヤレスデバイス１１５がＡＰ地理的カバレージエリア内にある、もしくは１つもないとき、直接ワイヤレスリンクを介して通信することができる。直接ワイヤレスリンクの例としては、Ｗｉ−Ｆｉ  Ｄｉｒｅｃｔ（登録商標）接続、Ｗｉ−Ｆｉトンネルドダイレクトリンクセットアップ（ＴＤＬＳ：Tunneled Direct Link Setup）リンクを使用することによって確立される接続、および他のピアツーピア（Ｐ２Ｐ）グループ接続があり得る。これらの例におけるワイヤレスデバイス１１５は、ＩＥＥＥ８０２．１１、および限定はしないが、８０２．１１ｂ、８０２．１１ｇ、８０２．１１ａ、８０２．１１ｎ、８０２．１１ａｃ、８０２．１１ａｄ、８０２．１１ａｈなどを含むそれの様々なバージョンからの物理レイヤおよびＭＡＣレイヤを含むＷＬＡＮ無線およびベースバンドプロトコルに従って通信することができる。他のインプリメンテーションでは、他のピアツーピア接続および／またはアドホックネットワークがワイヤレス通信システム１００Ａ内にインプリメントされることができる。
【００３３】
[0042]スモールセル基地局としてワイヤレス通信システム１００Ａにおいて通信するためのリソースに加えて、スモールセル基地局１５０−ａ−１とスモールセル基地局１５０−ａ−２とのうちの１つまたは複数は、スモールセル基地局とワイヤレスに通信しているワイヤレスデバイス１１５のためのいくつかの動作をサポートするためにいくつかのエッジコンピューティングリソースを有するエッジコンピューティングデバイスを含むことができる。したがって、スモールセル基地局１５０−ａ−１とスモールセル基地局１５０−ａ−２とのうちの１つまたは複数のエッジコンピューティングリソースは、スモールセル基地局１５０と、スモールセル基地局１５０とワイヤレスに通信しているワイヤレスデバイス１１５との間のデータおよび／またはコンテンツの処理の動的分散をサポートすることができる。エッジコンピューティングデバイスはまた、ワイヤレスデバイス１１５の特定のコンテキストに基づいてコンテンツをプリフェッチし、エッジコンピューティングデバイスにそれをキャッシュすることができる。エッジコンピューティングデバイスはまた、充実したローカル広告および広告の物理的拡張を与える広告サーバまたはエンジンをホストすることができる。エッジコンピューティングデバイスはまた、充実したローカル広告サーバとして動作することができる。エッジコンピューティングデバイスのコンピューティングリソースはまた、エッジコンピューティングデバイス、スモールセル基地局１５０−ａ−１とスモールセル基地局１５０−ａ−２とのうちの１つまたは複数上でサードパーティアプリケーションを含むホストアプリケーションに与えられることができる。
【００３４】
[0043]図１Ｂを参照すると、ブロック図に、ワイヤレス通信ネットワーク１００Ｂの一例を示す。ワイヤレス通信ネットワーク１００Ｂは、ワイヤレス通信システム１００Ａの部分を含むことができる。ワイヤレス通信ネットワーク１００Ｂは、スモールセル基地局１５０−ｂと、移動局、携帯情報端末（ＰＤＡ）、他のハンドヘルドデバイス、ネットブック、ノート型コンピュータ、タブレットコンピュータ、ラップトップ、ディスプレイデバイス（たとえばテレビ、コンピュータモニタなど）、プリンタなどの１つまたは複数のワイヤレスデバイス１１５−ａとを含むことができる。ワイヤレスデバイス１１５−ａの各々は、通信リンク１２５と通信リンク１３５とのうちの１つまたは複数を介してスモールセル基地局１５０−ｂに関連し、それと通信することができる。各スモールセル基地局１５０−ｂは、そのエリア内のワイヤレスデバイス１１５−ａがスモールセル基地局１５０−ｂと一般に通信することができるような地理的カバレージエリア１１０を有する。ワイヤレスデバイス１１５−ａは、地理的カバレージエリア１１０全体にわたって分散されることができる。各ワイヤレス局１１５−ａは固定またはモバイルであり得る。いくつかの例では、ワイヤレスデバイス１１５−ａは、２つ以上のスモールセル基地局１５０および／またはマクロセルによってカバーされることができる。他の例では、他のワイヤレスデバイスは、スモールセル基地局１５０と通信することができる。
【００３５】
[0044]スモールセル基地局１５０−ｂは、スモールセルプラットフォーム１４０とエッジコンピューティングデバイス１４５とを含む。エッジコンピューティングデバイス１４５は、スモールセルプラットフォーム１４０を有するスモールセル基地局１５０−ｂ内に統合されるか、またはスモールセルプラットフォーム１４０に通信可能に結合され、それの極近傍にある物理的に別個のモジュールであり得る。したがって、スモールセル基地局１５０−ｂは、単一の統合構成要素であり得るか、または一緒に通信可能に結合されたより多くの数の別個の構成要素を備えることができる。場合によっては、スモールセルプラットフォーム１４０は、エッジコンピューティングデバイス１４５をカプセル化する。そのような場合、スモールセルプラットフォーム１４０上の追加の処理能力はエッジコンピューティングデバイス１４５になる。スモールセル基地局１５０−ｂ、具体的には、スモールセルプラットフォーム１４０は、コアネットワーク１３０−ａと通信し、ならびにエッジコンピューティングデバイス１４５およびワイヤレスデバイス１１５−ａにコアネットワーク１３０−ａとの接続性を与えることができる。スモールセル基地局１５０−ｂ、具体的には、スモールセルプラットフォーム１４０はまた、ワイヤレスデバイス１１５−ａとの接続性をエッジコンピューティングデバイス１４５に与えることができる。
【００３６】
[0045]エッジコンピューティングデバイス１４５は、さらに本開示全体にわたってより詳細に以下に説明するスモールセル基地局１５０−ｂにおいていくつかのエッジコンピューティングリソースおよび機能を与える。
【００３７】
[0046]エッジコンピューティングデバイス１４５は、１つまたは複数のワイヤレスデバイス１１５−ａをサポートするために処理リソースを与え得る。データの処理は、ワイヤレスデバイス１１５−ａとスモールセル基地局１５０−ｂとコロケートされたエッジコンピューティングデバイス１４５との間で動的に割当てられることができる。ダウンロードされ、ワイヤレスデバイス１１５−ａに配信されるべきデータのための処理負担は、ワイヤレスデバイス１１５−ａに割当てられるか、エッジコンピューティングデバイス１４５に割当てられるか、またはワイヤレスデバイス１１５−ａとエッジコンピューティングデバイス１４５との間で分割されることができる。処理負担の割当ては、たとえば、ワイヤレスデバイス１１５−ａの状態、スモールセル基地局１５０−ｂとワイヤレスデバイス１１５−ａとの間の無線リンクの品質、および／またはワイヤレスデバイス１１５−ａに配信されるべきデータのタイプに基づいて動的であることができる。エッジコンピューティングデバイス１４５は、たとえば、特に、特定のタイプの圧縮ビデオ、オーディオ、または画像データのための圧縮データのタイプに少なくとも部分的に基づいて圧縮された（符号化された）データを圧縮解除する（復号する）ための負担を割当てられることができる。エッジコンピューティングデバイス１４５による圧縮データの処理は、圧縮データを圧縮解除することか、または圧縮データをより低い圧縮状態に処理すること、すなわち、高レベルに圧縮されたデータを非圧縮状態に圧縮解除し、次いで、より低い圧縮レベルを使用する圧縮アルゴリズムまたはエンコーダを使用してデータを圧縮することを伴うことができる。エッジコンピューティングデバイス１４５はまた、同じ圧縮データの複数のバージョンをダウンロードすることができ、ここで、バージョンのうちの１つは、無線リンクの状態またはワイヤレスデバイス１１５−ａの状態に少なくとも部分的に基づいてワイヤレスデバイス１１５−ａに送られる。
【００３８】
[0047]処理負担はまた、ワイヤレスデバイス１１５−ａの状態、たとえば、ワイヤレスデバイス１１５−ａにおける電力消費量、または処理能力、処理可用性、またはヘッドルーム、バッテリー状態、異なる無線機の同時利用による共存問題、またはワイヤレスデバイス１１５−ａの熱的状態に従ってエッジコンピューティングデバイス１４５に割当てられることができる。ワイヤレスデバイス１１５−ａの処理可用性がしきい値を下回るとき、バッテリー寿命がしきい値を下回るとき、ワイヤレスデバイス１１５−ａの温度がしきい値を上回る場合、またはワイヤレスデバイス１１５−ａにおける処理の予想電力消費量が所定の電力消費量しきい値を上回る場合、処理がエッジコンピューティングデバイス１４５にさらに割当てられることができる。エッジコンピューティングデバイス１４５はまた、ワイヤレスデバイス１１５−ａから受信された処理能力報告に従って受信データを処理することも処理しないこともある。さらに、エッジコンピューティングデバイス１４５は、たとえば、ワイヤレスデバイス１１５−ａとエッジコンピューティングデバイス１４５／スモールセル基地局との間の無線リンクの観測された品質、無線状態、スループット、測定値、または予想される将来の無線状態（たとえば、ワイヤレスデバイス１１５−ａがどこに移動しているのか、ハンドオフシナリオ、負荷など）に基づいて処理負担を割当てられることができる。
【００３９】
[0048]コンテンツはまた、エッジコンピューティングデバイス１４５によってプリフェッチされるかあるいは取り出され、ワイヤレスデバイス１１５−ａからのそのようなコンテンツについての要求を予想してローカルにキャッシュされることができる。コンテンツをプリフェッチすることは、エッジコンピューティングデバイス１４５にローカルである情報に少なくとも部分的に対して決定されることができる。そのようなローカル情報は、エッジコンピューティングデバイス１４５の物理的ロケーション、ワイヤレスデバイス１１５−ａの物理的ロケーション、またはエッジコンピューティングデバイス１４５のセンサーまたは他の入力デバイスから、たとえば、マイクロフォン、温度センサー、光センサー、またはカメラから収集されたデータに基づく物理的ロケーションに関する入力を含むことができる。ローカル情報はまた、特定のデータについてのユーザの過去の要求を含む、ワイヤレスデバイス１１５−ａのユーザについて以前にアセンブルされたプロファイルを含むことができる。ローカル情報はまた、関係するコンテンツを求めるユーザによって行われた要求に関係することができる。たとえば、ビデオの場合、プリフェッチされるコンテンツは、他のワイヤレスデバイス１１５−ａのユーザによって以前に要求された同じビデオ、エッジコンピューティングデバイス１４５と通信しているワイヤレスデバイス１１５−ａによってセグメントが以前に要求された一連のビデオ中の次のセグメント、またはワイヤレスデバイス１１５−ａからの前の要求に応答して以前にフェッチされたビデオに関係するビデオを含むことができる。
【００４０】
[0049]エッジコンピューティングデバイス１４５においてプリフェッチし、ローカルにキャッシュすることは、エッジコンピューティングデバイス１４５において追加の記憶容量を使用することができるが、バックホールネットワークの使用量が少ない期間中にコンテンツがプリフェッチされ、帯域幅を節約し、レイテンシを減少させることを可能にすることが有益であり得る。プリフェッチすることはまた、コンテンツのソースから要求元ワイヤレスデバイス１１５−ａに同じ人気があるコンテンツを繰り返しトランスポートする必要性を潜在的に除去することができる。上記で説明したようにプリフェッチすることは、特に、コンテンツが時間にわたって実質的に変化しない場合（たとえば、ある音楽ビデオまたはオーディオファイル）、およびワイヤレスデバイス１１５−ａのユーザがコンテンツが古くなる前にエッジコンピューティングデバイス１４５を介してそのようなコンテンツを要求するであろう可能性が高い場合に有益であり得る。特定のワイヤレスデバイス１１５−ａのためのプリフェッチされたコンテンツはまた、ワイヤレスデバイス１１５−ａの予想される物理的ロケーションに基づいて第１のエッジコンピューティングプラットフォームから第２のエッジコンピューティングプラットフォームに転送されることができる。プリフェッチすることはまた、より多くの電力が利用可能である（たとえば、ソーラーパネルによって電力供給されるスモールセルのために太陽が出ている）とき、または電力レベルが高い（たとえば、バッテリーバックアップ容量が上限に達している）ときに実行されることができる。さらに、プリフェッチすることはコンテキストアウェアに実行されることができる。たとえば、拡張コンテンツは、スモールセル上で行われる拡張とは対照的にスモールセル中でプリフェッチされることができる。
【００４１】
[0050]本明細書で説明するエッジコンピューティングデバイス１４５はまた、充実したローカル広告サーバとして動作することができる。エッジコンピューティングデバイス１４５において、またはエッジコンピューティングデバイス１４５の近くの出力において広告することは、エッジコンピューティングデバイス１４５によって物理的に拡張されることができる。エッジコンピューティングデバイス１４５はまた、スモールセルおよび／またはスモールセルの近くの出力への広告データをサービスすることができる。広告サーバは、エッジコンピューティングデバイス１４５上で動作することができ、ここで、広告サーバは、スモールセル基地局を介してワイヤレスデバイス１１５−ａによって要求されたコンテンツに広告コンテンツおよびデータを動的に挿入するように構成されることができる。特定の広告データおよびコンテンツはまた、エッジコンピューティングデバイス１４５の物理的ロケーションおよび／またはエッジコンピューティングデバイス１４５に対するワイヤレスデバイス１１５−ａのロケーションに基づいてエッジコンピューティングデバイス１４５においてプリフェッチされ、キャッシュされることができる。たとえば、エッジコンピューティングデバイス１４５上で動作する広告サーバは、スポーツスタジアムまたは食品雑貨品店の通路で動作するワイヤレスデバイス１１５−ａのユーザを特にターゲットにしたアップコンテンツをサービスすることができる。
【００４２】
[0051]いくつかの例では、プリフェッチすることとキャッシュすることとは反応性のものであり得る。すなわち、プリフェッチすることとキャッシュすることとは、同じまたは同様のコンテンツが少なくとも一人のユーザによって要求されたときに実行されることができる。コンテンツが近接している他のユーザによって閲覧される可能性があるとスモールセルが決定すると、コンテンツはプリフェッチされ、キャッシュされることができる。この決定は、たとえば、ユーザのためのユーザプロファイルに部分的に基づくことができる。コンテンツはまた、必ずしも同じコンテンツを消費するとは限らないことがある他の近くのユーザの行為によりプリフェッチまたは消費される可能性があり得る。コンテンツは、近くのまたは同様のセル上の要求されたコンテンツに基づいてプリフェッチされ、キャッシュされることができ、これは、さらに、ユーザの人口統計に基づくことができる。
【００４３】
[0052]異なるエッジノードが、同じまたは異なる記憶および処理能力を有することができる。いくつかの例では、いくつかのスモールセルは、スモールセルがクラスタヘッドとして働くスモールセルのクラスタを形成することができる。クラスタヘッドスモールセルは、ローカルストレージ、ローカルサービスホスティング、処理などのために使用されることができる。いくつかの例では、エッジノードは、分散処理および記憶能力を有する。分散キャッシングは、エッジノード（たとえば、スモールセル）の間で実行されることができる。たとえば、いくつかのノードは、いくつかのコンテンツをキャッシュし、他のノードは、他のコンテンツをキャッシュすることができる（サイトにわたってキャッシュすることは、記憶、バックホール、用途などの機能であり得る）。キャッシュすることはまた、複数のデバイスにわたってデータがハッシュされるように複数のワイヤレスデバイスにわたって実行されることができる。
【００４４】
[0053]特定の広告データおよびコンテンツはまた、ワイヤレスデバイス１１５−ａが以前にスモールセル基地局１５０−ｂに接続されたこと、または他のスモールセル基地局に接続されたことを含む、ワイヤレスデバイス１１５−ａによって実行された活動、またはワイヤレスデバイス１１５−ａに関するスモールセル基地局１５０−ｂによって収集された他の情報に少なくとも部分的に基づいてプリフェッチされ、キャッシュされることができる。ワイヤレスデバイス１１５−ａに関するこの活動または情報は、過去の検索要求のコンテンツ、ワイヤレスデバイス１１５−ａに関するメタデータ、ウェブサイト訪問またはアプリケーション使用履歴、あるいはワイヤレスデバイス１１５−ａの１つまたは複数のセンサーからの情報、たとえば、ジャイロスコープセンサー、加速度計センサー、温度センサー、またはＧＰＳセンサー情報を含むことができる。広告データおよびコンテンツはまた、スモールセル基地局１５０−ｂに以前に接続されたワイヤレスデバイスまたは隣接基地局などの他のスモールセル基地局を含む他のワイヤレスデバイスによって実行された活動についての分析に少なくとも部分的に基づいてプリフェッチされ、キャッシュされることができる。そのような活動および情報は、ワイヤレスデバイス１１５−ａについてと同じであるが、他のワイヤレスデバイスについて収集され、分析されることができる。
【００４５】
[0054]さらに、広告サーバは、ワイヤレスデバイス１１５−ａ自体に加えてワイヤレスデバイス１１５−ａのユーザに物理的刺激を与えるために他のローカル入出力デバイスと通信することができる。たとえば、広告サーバは、ワイヤレスデバイス１１５−ａからのコンテンツについての要求に関連して、ライト、ディスプレイ、スピーカー、においを散布するデバイス、あるいはエッジデバイスおよび／またはワイヤレスデバイス１１５−ａの近くに物理的に位置する他の出力デバイスをアクティブにするようにエッジコンピューティングデバイス１４５に指示することができる。
【００４６】
[0055]エッジコンピューティングデバイス１４５はまた、ワイヤレスデバイス１１５−ａのためのコンテキストデータ、たとえば、ワイヤレスデバイス１１５−ａの物理的ロケーションまたは軌跡、あるいはエッジコンピューティングデバイス１４５が位置するスモールセル基地局と通信している他のワイヤレスデバイス１１５−ａのロケーション、環境などに基づいて、ワイヤレスデバイス１１５−ａについてのローカル分析を実行することができる。エッジコンピューティングデバイス１４５によるローカル分析のそのような実行は、（たとえば、ユーザが高密度展開のスモールセルエリア中にあるときの）ユーザエクスペリエンスを高めることができる。たとえば、輻輳したネットワーク中のユーザは、ワイヤレストラフィックの過剰により遅延を受けることができる。さらに、分析を実行することを担当する中央エンティティは、ロケーション固有サービスを供給するために必要とされるローカルコンテキスト情報を有しないことがある。
したがって、エッジコンピューティングデバイス１４５（またはスモールセル基地局１５０）にある分析をオフロードすることは、サービス遅延を減少させ、ユーザの特定のロケーションに関係するサービスを使用可能にすることができる。たとえば、スモールセル基地局１５０またはエッジコンピューティングデバイス１４５上で広告サーバを動作することは、レイテンシを低減し、より充実したコンテンツ（たとえば、コンテキストまたは状況に関連するコンテンツ）を与えることができる。場合によっては、処理は、処理能力およびニーズの可用性に基づいてエッジコンピューティングデバイス１４５とワイヤレスデバイス１１５−ａとの間で移動されることができる。ロケーション、ユーザ探索に関する処理された分析データは、広告に入札するなどのＧｏｏｇｌｅ（登録商標）  ＡｄＷｏｒｄｓ（登録商標）に通知することができる。
【００４７】
[0056]エッジコンピューティングデバイス１４５上で広告サーバを動作することにより、広告主は、広告をサービスするために、およびワイヤレスデバイス１１５−ａのユーザに広告を配信するレイテンシを低減するために必要なバックホール帯域幅を低減することによってより充実した広告コンテンツをサービスすることが可能になり得る。したがって、ネットワーク帯域幅の低減された使用たとえば、ＷＷＡＮのバックホールネットワークまたはＷＬＡＮと通信しているインターネットサービスプロバイダ（ＩＳＰ）のために、ネットワーク事業者が広告を与えるのがより安価になり得る。そのような場合、ＷＷＡＮネットワーク事業者またはＩＳＰは、ネットワークコンピューティングデバイスからワイヤレスデバイス１１５−ａにサービスされるデータを広告するためにワイヤレスデバイス１１５−ａのユーザにディスカウントされたデータレートを与えることができる。
【００４８】
[0057]ＷＷＡＮスモールセルまたはＷＬＡＮアクセスポイントへのエッジコンピューティングデバイス１４５の近接度の結果として、エッジコンピューティングデバイス１４５はまた、ワイヤレスデバイス１１５−ａのユーザのロケーション、ワイヤレスデバイス１１５−ａまたはエッジコンピューティングデバイス１４５からのセンサー入力、および／またはエッジコンピューティングデバイス１４５を介してワイヤレスデバイス１１５−ａのユーザによって行われた要求のコンテンツに従ってワイヤレスデバイス１１５−ａのユーザと相互作用し、それに刺激を与えるように、同じくエッジコンピューティングデバイス１４５と通信している近接した入出力デバイスを制御することができる。
【００４９】
[0058]エッジコンピューティングデバイス１４５はまた、ワイヤレスデバイス１１５−ａのユーザを刺激するように入出力デバイスを制御するためにワイヤレスデバイス１１５−ａ、拡大すると、ワイヤレスデバイス１１５−ａのユーザのロケーションおよび環境に関するデータを取り入れることができる。ワイヤレスデバイス１１５−ａおよび／またはエッジコンピューティングデバイス１４５についてのセンサーデータは、たとえば、マイクロフォン、温度センサーまたは光センサー、あるいはカメラなどから収集されることができる。ワイヤレスデバイス１１５−ａとワイヤレスデバイス１１５−ａが接続されるエッジネットワークデバイスとの近傍ならびにエッジコンピューティングデバイス１４５の知られているロケーションのために、エッジコンピューティングデバイス１４５は次いで、エッジコンピューティングデバイス１４５におけるデータに従って、ワイヤレスデバイス１１５−ａのユーザの知られている近傍内にあるワイヤレスデバイス１１５−ａ自体の外部のデバイスを制御するためにこの情報を使用することができる。外部デバイスは、広告コンテンツまたはデータを配信またはサービスすることができる。たとえば、外部デバイスは、エッジコンピューティングデバイス１４５の物理的環境に固有の情報に従ってワイヤレスデバイス１１５−ａによってエッジコンピューティングデバイス１４５に与えられたデータコンテンツにアノテーションを付けるためにエッジコンピューティングデバイス１４５によって制御されることができる。アノテーションを付けることは、画像またはテキストでデータコンテンツにアノテーションを付けることを含むことができる。別の例として、エッジコンピューティングデバイス１４５は、エッジコンピューティングデバイス１４５から決定されたワイヤレスデバイス１１５−ａのユーザの少なくとも１つの特性、たとえば、ワイヤレスデバイス１１５−ａが接続されたスモールセル基地局への近接度によるワイヤレスデバイス１１５−ａの物理的ロケーションまたはワイヤレスデバイス１１５−ａのユーザによって行われた要求のコンテンツに基づいてワイヤレスデバイス１１５−ａのユーザに刺激を与えるために（エッジコンピューティングデバイス１４５の外部の）入出力デバイスを制御することができる。
【００５０】
[0059]エッジコンピューティングデバイス１４５はまた、サードパーティアプリケーションをホストすることができる剰余コンピューティングリソースを有することができる。これらのコンピューティングリソースはまた、そのような目的のために与えられることができる。モバイルアプリケーションは、一般に、ワイヤレスデバイス１１５−ａ上で、またはコンテンツ配信ネットワークまたは他のサーバなどのネットワーク構成要素上で動作する。同時に、ワイヤレスデバイス１１５−ａは、概して、限定された計算能力およびバッテリー寿命を有するが、エッジコンピューティングデバイス１４５は、おそらく専用電力接続を有するであろう。したがって、エッジコンピューティングデバイス１４５は、ワイヤレスデバイス１１５−ａよりも少ない電力および処理制約で、エンドユーザ（すなわち、ワイヤレスデバイス１１５−ａ）の近傍にあるサードパーティアプリケーションによる使用を可能にするように構成されることができる。
【００５１】
[0060]一例では、ユーザのモバイルデバイス上で動作するアプリケーションは、エッジコンピューティングデバイス１４５上で動作する相補型アプリケーションによって拡張されることができる。相補型アプリケーションは、たとえば、ワイヤレスデバイス１１５−ａへの着信メッセージを監視すること、およびあらかじめ定義されたパラメータに従って警告を送ることによってユーザエクスペリエンスを拡張する処理を与えることができる。エッジコンピューティングデバイス１４５のリソースはまた、たとえば、サードパーティアプリケーションを実行するためにエッジコンピューティングデバイス１４５上で動作する仮想マシンを与えることによってサードパーティへのサービスとして与えられることができる。このようにして、サードパーティは、ワイヤレスデバイス１１５−ａの近傍だが、アプリケーションがサードパーティの指示および制御の下にある場所においてサードパーティの自身のアプリケーションを実行することによってワイヤレスデバイス１１５−ａのユーザに拡張エクスペリエンスを与えることができる。サードパーティは、エッジコンピューティングデバイス１４５に選択されたデータまたはコンテンツをキャッシュし、キャッシュされたデータまたはコンテンツと相互作用するワイヤレスデバイス１１５−ａにアプリケーションを与えることができる。ワイヤレスデバイス１１５−ａのアプリケーションはまた、エッジコンピューティングデバイス１４５またはサーバ上で動作するアプリケーションと相互作用するために与えられ得る。したがって、ワイヤレスデバイス１１５−ａのアプリケーションは、ＷＷＡＮおよび／またはインターネットを通して遠くのサーバとより低い頻度で相互作用し、ワイヤレスデバイス１１５−ａのユーザのエクスペリエンスを拡張し得る。さらに、ワイヤレスデバイス１１５−ａのためのサードパーティアプリケーションによって実行される計算は、エッジコンピューティングデバイス１４５から第２のエッジコンピューティングデバイスへのユーザのワイヤレスデバイス１１５−ａに追従するめに、エッジコンピューティングデバイス１４５から第２のエッジコンピューティングデバイスに移動または転送され得る。
【００５２】
[0061]図２に、本開示の様々な態様による、スモールセル基地局のためのエッジコンピューティングデバイスをサポートするためにワイヤレス通信において使用するために構成されたデバイス２０５のブロック図２００を示す。デバイス２０５は、図１Ｂを参照しながら説明したエッジコンピューティングデバイス１４５の１つまたは複数の態様の一例であり得る。デバイス２０５は、受信機２１０、エッジコンピューティングプラットフォーム２１５、および／または送信機２２０を含むことができる。デバイス２０５はまた、プロセッサであるか、またはそれを含むことができる。これらのモジュールの各々は互いに通信していることがある。場合によっては、エッジコンピューティングデバイス２０５は、スモールセル基地局１５０に統合されることができる。そのような場合、エッジコンピューティングデバイス２０５は、スモールセル基地局１５０に追加の計算能力を与えることができ、したがって、受信機２１０または送信機２２０を含まなくてもよい。
【００５３】
[0062]デバイス２０５は、受信機２１０、エッジコンピューティングプラットフォーム２１５、および／または送信機２２０を通して、本明細書で説明する機能を実行するように構成されることができる。たとえば、デバイス２０５は、スモールセル基地局と通信しているワイヤレスデバイスにエッジコンピューティングリソースを与えるように構成されることができる。エッジコンピューティングプラットフォーム２４５をカプセル化するエッジコンピューティングデバイス２０５が示されているが、場合によっては、エッジコンピューティングプラットフォーム２４５が、エッジコンピューティングデバイス２０５をカプセル化する。すなわち、エッジコンピューティングデバイス２４５は、エッジコンピューティングデバイス２０５、レシーブド２１０、および／または送信機２２０を囲むことができるか、またはそれを含むことができる。このようにして、エッジコンピューティングプラットフォーム２４５は、処理能力をブーストするためにエッジコンピューティングデバイス２０５の機能を活用することができる。
【００５４】
[0063]デバイス２０５の構成要素は、適用可能な機能の一部または全部をハードウェアで実行するように適応された１つまたは複数の特定用途向け集積回路（ＡＳＩＣ）を使用して、個々にまたはまとめてインプリメントされることができる。代替的に、それらの機能は、１つまたは複数の他の処理ユニット（またはコア）によって、１つまたは複数の集積回路上で実行されることができる。他の例では、当技術分野で知られている任意の方法でプログラムされることができる、他のタイプの集積回路（たとえば、ストラクチャード／プラットフォームＡＳＩＣ、フィールドプログラマブルゲートアレイ（ＦＰＧＡ）、および他のセミカスタムＩＣ）が使用されることができる。各構成要素の機能はまた、全体的にまたは部分的に、１つまたは複数の汎用または特定用途向けプロセッサによって実行されるようにフォーマットされた、メモリ中に組み込まれた命令を用いてインプリメントされることができる。
【００５５】
[0064]受信機２１０は、パケット、ユーザデータ、および／または様々な情報チャネル（たとえば、制御チャネル、データチャネルなど）に関連付けられた制御情報などの情報を受信することができる。受信機２１０は、ワイヤレスデバイスによってネットワークに要求されたコンテンツ、データ、および他の情報を受信するように構成されることができ、これは、デバイス２０５などのスモールセルとワイヤレスに通信しているワイヤレスデバイスの要求時、ワイヤレスデバイスから送られたそのようなコンテンツまたはデータについての要求時、ならびにワイヤレスデバイスによってエッジコンピューティングリソースを使用したいという要求時、および様々なセンサーまたは入出力デバイスからの入力時におけるネットワークからのオーディオ、ビデオ、広告、ウェブページ、または他のデータを含むことができる。情報は、エッジコンピューティングプラットフォーム２１５に、およびデバイス２０５の他の構成要素に受け渡されることができる。
【００５６】
[0065]送信機２２０は、デバイス２０５の他の構成要素から受信された１つまたは複数の信号を送信することができる。送信機２２０は、デバイス２０５などのスモールセルとワイヤレスに通信しているワイヤレスデバイスにオーディオ、ビデオ、広告、ウェブページ、または他のデータを送信し得、ワイヤレスデバイスによるエッジコンピューティングリソースを使用したいという要求に応答し、ディスプレイ、ライト、または他の入出力デバイスに出力する。いくつかの例では、送信機２２０は、トランシーバモジュール中で受信機２１０とコロケートまたは統合されることができる。
【００５７】
[0066]図３に、本開示の様々な態様による、エッジコンピューティングデバイスをサポートするためにワイヤレス通信において使用するために構成された別のデバイス２０５−ａのブロック図３００を示す。デバイス２０５−ａは、図２を参照しながら説明したデバイス２０５または図１Ａおよび図１Ｂを参照しながら説明したスモールセル基地局１５０の１つまたは複数の態様の一例であり得る。デバイス２０５−ａは、受信機２１０−ａ、エッジコンピューティングプラットフォーム２１５−ａ、および／または送信機２２０−ａを含むことができる。デバイス２０５はまた、プロセッサであるか、またはプロセッサを含むことができる。これらのモジュールの各々は互いに通信していることがある。
【００５８】
[0067]デバイス２０５−ａは、受信機２１０−ａ、エッジコンピューティングプラットフォーム２１５−ａ、および／または送信機２２０−ａを通して、本明細書で説明する機能を実行するように構成されることができる。たとえば、デバイス２０５−ａは、ワイヤレスデバイスが使用するためにデバイス２０５−ａ上でアプリケーションをホストするように構成されることができる。受信機２１０−ａおよび送信機２２０−ａは、それぞれ、図２で説明した受信機２１０および送信機２２０と同様に動作することができる。デバイス２０５−ａの構成要素は、個別にまたはまとめて、図２のデバイス２０５の構成要素と同様にインプリメントされることができる。
【００５９】
[0068]エッジコンピューティングプラットフォーム２１５−ａは、アプリケーション環境３０５と、アプリケーション環境マネージャ３１０と、モバイルデバイス通信マネージャ３１５とを含むことができる。エッジコンピューティングプラットフォーム２１５−ａは、デバイス２０５−ａに関連するスモールセル基地局内のモバイルデバイスが使用するためのアプリケーションをホストすることができる。
【００６０】
[0069]アプリケーション環境３０５は、仮想マシンまたはサードパーティアプリケーションなどの仮想プラットフォームを動作するためのオープン環境であり得る。いくつかの例では、スモールセル基地局中の基地局は、サービスを提供する仮想マシンまたはサードパーティアプリケーションをホストするのに必要なスモールセルコンピューティングリソースを与えるためにデバイス２０５−ａとコロケートされることができる。アプリケーションは、たとえば、通信、ビデオストリーミング、価格情報、ファイル共有、調査などのサービスを提供する任意のモバイルデバイスアプリケーションであり得る。サードパーティアプリケーションは、スモールコールのユーザにサービスを提供することができる。アプリケーション環境３０５は、スモールセルコンピューティングリソース上で動作し、仮想マシン上でアプリケーションをホストするように仮想マシンを構成することができる。他の例では、エッジコンピューティングリソース（たとえば、アプリケーション環境３０５）は、（たとえば、ＵＳＢを介して）スモールセルに取り付けられ得るアドオンモジュール（たとえば、スナップモジュール）としてインプリメントされることができる。追加の計算能力は、周辺構成要素相互接続エクスプレス（ＰＣＩｅ）、イーサネット（登録商標）コネクタ、バックプレーン、または他のカスタマーコネクタを使用して追加されることができる。いくつかの例では、エッジコンピューティングリソースは、ワイヤレスデバイスのより近くに移動されることができ、これは、レイテンシを低下させるか、またはデータのための帯域幅の量を減少させることができる。
【００６１】
[0070]アプリケーション環境マネージャ３１０は、どんなアプリケーションが動作しているとしてもオープン環境のためのリソースを管理することができる。アプリケーション環境マネージャ３１０は、アプリケーション環境３０５によってホストされている１つまたは複数のアプリケーションにリソースを割り当てることができる。アプリケーション環境マネージャ３１０は、モバイルデバイスのモバイルデバイスコンピューティングリソース上でアプリケーションを部分的に実行し、スモールセルコンピューティングリソース上でアプリケーションを部分的に実行することができる。
【００６２】
[0071]モバイルデバイス通信マネージャ３１５は、１つまたは複数のアプリケーションのホスティングを確立するか、それに加わるか、それを移転するか、またはそれを終了するためにモバイルデバイスとの通信を与えることができる。モバイルデバイスがロケーションを変更するとき、モバイルデバイス通信マネージャ３１５はアプリケーションのホスティング(hosting)を移転することができる。モバイルデバイス通信マネージャ３１５は、第２のスモールセルへのモバイルデバイスのワイヤレス通信を容易にし、スモールセルから第２のスモールセルにアプリケーションのホスティングを移転することができる。モバイルデバイス通信マネージャ３１５はまた、モバイルデバイスに転送されるデータのコンテンツおよび適時性を決定するためにスモールセルコンピューティングリソースを使用することができる。
【００６３】
[0072]図４に、本開示の様々な態様による、スモールセル基地局１５０−ｃとコロケートされたエッジコンピューティングリソースを与えるために構成されたスモールセル基地局１５０−ｃを示す図４００を示す。いくつかの態様では、スモールセル基地局１５０−ｃは、図１Ａ〜図１Ｂのスモールセル基地局１５０の一例であり得る。スモールセル基地局１５０−ｃは、プロセッサ４０５と、メモリ４１０と、トランシーバ４３０と、アンテナ４３５と、エッジコンピューティングプラットフォーム２１５−ｂとを含むことができる。エッジコンピューティングプラットフォーム２１５−ｂは、図２〜図３のエッジコンピューティングプラットフォーム２１５の一例であり得る。いくつかの例では、スモールセル基地局１５０−ｃはまた、ネットワーク通信マネージャ４２０を含むことができる。プロセッサ４０５と、メモリ４１０と、トランシーバ４３０と、ネットワーク通信マネージャ４２０と、エッジコンピューティングプラットフォーム２１５−ｂとの各々は、直接または間接的に、少なくとも１つのバス４４０を介して互いに通信していることがある。
【００６４】
[0073]メモリ４１０は、ランダムアクセスメモリ（ＲＡＭ）と、読取り専用メモリ（ＲＯＭ）とを含むことができる。メモリ４１０はまた、実行されたとき、プロセッサ４０５に、たとえば、図１Ａ、図１Ｂ、図２、および図３を参照しながらさらに説明したように、スモールセル基地局１５０−ｃと通信しているワイヤレスデバイスにエッジコンピューティングリソースを与えるために本明細書で説明する様々な機能を実行することを行わせるように構成された命令を含んでいるコンピュータ可読、コンピュータ実行可能ソフトウェア（ＳＷ）コード４１５を記憶することができる。代替的に、コード４１５は、プロセッサ４０５によって直接的に実行可能でないことがあるが、たとえば、コンパイルされ実行されたとき、スモールセル基地局１５０−ｃに本明細書で説明する機能を実行させるように構成されることができる。
【００６５】
[0074]プロセッサ４０５は、インテリジェントハードウェアデバイス、たとえば、中央処理ユニット（ＣＰＵ）、マイクロコントローラ、ＡＳＩＣなどを含むことができる。プロセッサ４０５は、トランシーバ４３０および／またはネットワーク通信マネージャ４２０を通して受信された情報を処理することができる。プロセッサ４０５はまた、アンテナ４３５を通した送信のためにトランシーバ４３０に送られるべき情報、および／またはネットワーク通信マネージャ４２０に送られるべき情報を処理することができる。プロセッサ４０５は、単独でまたはエッジコンピューティングプラットフォーム２１５−ｂとともに、スモールセル基地局１５０−ｃと通信しているワイヤレスデバイスにエッジコンピューティングリソースを与えることに関係する様々な態様を扱うことができる。
【００６６】
[0075]トランシーバ４３０は、パケットを変調し、変調パケットを送信のためにアンテナ４３５に与え、ならびにアンテナ４３５から受信されたパケットを復調するように構成されたモデムを含むことができる。トランシーバ４３０は、少なくとも１つの送信機モジュールおよび少なくとも１つの別個の受信機モジュールとしてインプリメントされることができる。トランシーバ４３０は、たとえば、図１Ａおよび図１Ｂに示すように、アンテナ４３５を介して、少なくとも１つのワイヤレスデバイス１１５と双方向に通信するように構成されることができる。スモールセル基地局１５０−ｃは、通常、複数のアンテナ４３５（たとえば、アンテナアレイ）を含むことができる。スモールセル基地局１５０−ｃは、ネットワーク通信マネージャ４２０を通してコアネットワーク１３０−ｂと通信することができる。トランシーバ４３０とアンテナ４３５とを使用して、スモールセル基地局１５０−ｃは、スモールセル基地局１５０−ｄなどの他のスモールセル基地局１５０と通信することができる。
【００６７】
[0076]スモールセル基地局１５０−ｃの構成要素は、図１Ａ、図１Ｂ、図２、および図３を参照しながら上記で説明した態様をインプリメントするように構成されることができ、それらの態様は、簡潔のためにここでは繰り返さない。さらに、スモールセル基地局１５０−ｃの構成要素は、図５〜図１０に関して以下で説明する態様をインプリメントするように構成されることができ、それらの態様は、簡潔のためにここでも繰り返さない。
【００６８】
[0077]図５に、本開示の様々な態様による、別のワイヤレス通信システムのブロック図５００を示す。図５００に、コロケートされたエッジコンピューティングリソースを与えるためのスモールセル基地局１５０−ｅを示す。いくつかの態様では、スモールセル基地局１５０−ｅは、図１Ａ〜図１Ｂおよび図４のスモールセル基地局１５０の一例であり得る。スモールセル基地局１５０−ｅは、プロセッサ４０５−ａと、メモリ４１０−ａと、トランシーバ４３０−ａと、アンテナ４３５−ａと、エッジコンピューティングプラットフォーム２１５−ｃとを含むことができる。エッジコンピューティングプラットフォーム２１５−ｃは、図２〜図３のエッジコンピューティングプラットフォーム２１５の一例であり得る。いくつかの例では、スモールセル基地局１５０−ｅはまた、ネットワーク通信マネージャ４２０−ａを含むことができる。プロセッサ４０５−ａと、メモリ４１０−ａと、トランシーバ４３０−ａと、ネットワーク通信マネージャ４２０−ａと、エッジコンピューティングプラットフォーム２１５−ｃとの各々は、直接または間接的に少なくとも１つのバス４４０−ａを介して互いに通信していることがある。スモールセル基地局１５０−ｅは、スモールセル基地局１５０−ｆおよびワイヤレスデバイス１１５−ｃと通信することができる。
【００６９】
[0078]エッジコンピューティングプラットフォーム２１５−ｃは、アプリケーション環境３０５−ａと、アアプリケーション環境マネージャ３１０−ａと、モバイルデバイス通信マネージャ３１５−ａとを含むことができる。いくつかの態様では、アプリケーション環境３０５−ａ、アプリケーション環境マネージャ３１０−ａ、およびモバイルデバイス通信マネージャ３１５−ａは、それぞれ、図３のアプリケーション環境３０５、アプリケーション環境マネージャ３１０、およびモバイルデバイス通信マネージャ３１５の一例であり得る。エッジコンピューティングプラットフォーム２１５−ｃは、ワイヤレスデバイス１１５−ｃのためのスモールセルコンピューティングリソースを使用して１つまたは複数のアプリケーションをホストし、管理することができる。
【００７０】
[0079]アプリケーション環境３０５は、サービスとしてスモールセルコンピューティングリソースを与えることができ、ここにおいて、スモールセル基地局１５０−ｅ中の基地局は、スモールセルコンピューティングリソースを与えるエッジコンピューティングデバイスとコロケートされる。アプリケーション環境マネージャ３１０−ａは、エッジコンピューティングデバイスのスモールセルコンピューティングリソース上でアプリケーションをホストすることができ、アプリケーションは、スモールセル基地局１５０−ｃ中のワイヤレスデバイス１１５−ｃにとってアクセス可能である。モバイルデバイス通信マネージャ３１５−ａは、スモールセル基地局１５０−ｃへのおよび他のスモールセル基地局へのワイヤレスデバイス１１５−ｃのワイヤレス通信を容易にすることができる。
【００７１】
[0080]スモールセル基地局１５０−ｃの構成要素は、図１Ａ、図１Ｂ、図２、図３、および図４を参照しながら上記で説明した態様をインプリメントするように構成されることができ、それらの態様は、簡潔のためにここでは繰り返さない。さらに、スモールセル基地局１５０−ｅの構成要素は、図５〜図１０に関して以下で説明する態様をインプリメントするように構成されることができ、それらの態様は、簡潔のためにここでも繰り返さない。
【００７２】
[0081]図６に、本開示の様々な態様による、スモールセル基地局１５０−ｇとコロケートされたエッジコンピューティングリソースを与えるために構成されたエッジコンピューティングデバイス１４５−ａを示す図６００を示す。図６では、スモールセル基地局１５０−ｇは、エッジコンピューティングデバイス１４５−ａとは物理的に別個のものである。エッジコンピューティングデバイス１４５−ａは、プロセッサ６０５と、メモリ６１０と、スモールセル通信マネージャ６２０と、エッジコンピューティングプラットフォーム２１５−ｄとを含むことができる。
【００７３】
[0082]エッジコンピューティングプラットフォーム２１５−ｄは、図２〜図５のエッジコンピューティングプラットフォーム２１５の一例の１つまたは複数の態様であり得る。エッジコンピューティングプラットフォーム２１５−ｄは、スモールセル通信マネージャ６２０を介して、スモールセル基地局１５０−ｇが接続されたコアネットワーク１３０−ｄと通信することができる。いくつかの態様では、スモールセル基地局１５０−ｇおよびスモールセル基地局１５０−ｈは、図１Ａ〜図１Ｂおよび図４〜図５のスモールセル基地局１５０の一例であり得る。同様に、ワイヤレスデバイス１１５−ｄは、図１Ａ〜図１Ｂおよび図４〜図５のワイヤレスデバイス１１５の一例であり得る。
【００７４】
[0083]エッジコンピューティングデバイス１４５−ａの構成要素は、図１Ａ〜図５を参照しながら上記で説明した態様をインプリメントするように構成されることができ、それらの態様は、簡潔のためにここでは繰り返さないことがある。
【００７５】
[0084]プロセッサ６０５は、図４のプロセッサ４０５の一例の１つまたは複数の態様であり得る。プロセッサ６０５は、インテリジェントハードウェアデバイス、たとえば、ＣＰＵ、マイクロコントローラ、ＡＳＩＣなどを含むことができる。プロセッサ６０５は、スモールセル通信マネージャ６２０またはエッジコンピューティングプラットフォーム２１５−ｄを通して受信された情報を処理することができる。プロセッサ６０５はまた、スモールセル通信マネージャ６２０を介した送信のためにトランシーバ４３０に送られるべき情報を処理することができる。プロセッサ６０５は、単独でまたはエッジコンピューティングプラットフォーム２１５−ｄとともに、スモールセル基地局１５０−ｇと通信しているワイヤレスデバイスにエッジコンピューティングリソースを与えることに関係する様々な態様を扱うことができる。いくつかの例では、プロセッサ６０５は、エッジコンピューティングプラットフォーム２１５−ｄである。
【００７６】
[0085]メモリ６１０は、図４のメモリ４１０の一例であり得る。メモリ６１０は、実行されたとき、プロセッサ６０５に、たとえば、図１Ａ〜図５を参照しながらさらに説明したように、スモールセルと通信しているワイヤレスデバイスにエッジコンピューティングリソースを与えるために本明細書で説明する様々な機能を実行することを行わせるように構成された命令を含んでいるコンピュータ可読、コンピュータ実行可能ＳＷコード６１５を記憶することができる。代替的に、コード６１５は、プロセッサ６０５によって直接的に実行可能でないことがあるが、たとえば、コンパイルされ実行されたとき、コンピュータに本明細書で説明する機能を実行させるように構成されることができる。
【００７７】
[0086]さらに、エッジコンピューティングデバイス１４５−ａの構成要素は、図７〜図９に関連して以下で説明する態様をインプリメントするように構成されることができ、それらの態様は、簡潔のためにここでは繰り返されないことがある。
【００７８】
[0087]図７は、本開示の様々な態様による、ワイヤレス通信のためのプロセス７００の一例を示すフローチャートである。プロセス７００は、基地局１０５−ａと、スモールセル基地局１５０−ｉと、ワイヤレスデバイス１１５−ｅとを含む。基地局１０５−ａは、図１Ａおよび図１Ｂの基地局１０５の態様の一例であり得る。スモールセル基地局１５０−ｉは、図１Ａ、図１Ｂ、および図４〜図６を参照しながら説明したスモールセル基地局１５０の態様の一例であるか、または図２および図３を参照しながら説明したデバイス２０５の１つまたは複数の態様の一例であり得る。ワイヤレスデバイス１１５−ｅは、図１Ａ、図１Ｂ、および図４〜図６を参照しながら説明したワイヤレスデバイス１１５の態様の一例であり得る。
【００７９】
[0088]この例では、スモールセル基地局１５０−ｉは、基地局１０５−ａおよびワイヤレスデバイス１１５−ｅと通信している。ワイヤレスデバイス１１５−ｅは、スモールセル基地局１５０−ｉに関連付けられる。スモールセル基地局１５０−ｉは、仮想プラットフォームを動作することができる（７０５）。いくつかの例では、スモールセル基地局１５０−ｉは、仮想でないプラットフォームを動作する。仮想プラットフォームは、１つまたは複数の仮想マシンまたはサードパーティアプリケーションをホストすることが可能であり得る。スモールセル基地局１５０−ｉは、仮想プラットフォームを動作するために基地局１０５−ａにスモールセルコンピューティングリソース７１０を要求することができる。
【００８０】
[0089]ワイヤレスデバイス１１５−ｅは、ワイヤレスデバイス１１５−ｅが関心があるアプリケーションをホストするようにスモールセル基地局１５０−ｉにアプリケーションホスト要求７１５を送ることができる。いくつかの例では、スモールセル基地局１５０−ｉは、アプリケーションホスト要求７１５を受信する後まで仮想プラットフォームを動作しない。他の例では、ワイヤレスデバイス１１５−ｅは、アプリケーションホスト要求７１５を送るのではなく、むしろワイヤレスデバイス１１５−ｅによってホストされるように広告されたアプリケーションを使用する。
【００８１】
[0090]スモールセル基地局１５０−ｉがアプリケーションホスト要求７１５中で要求されたアプリケーションの少なくとも一部分をホストすることが可能である場合、スモールセル基地局１５０−ｉは、仮想プラットフォームを使用してアプリケーションをホストすることができる（７２０）。スモールセル基地局１５０−ｉは、いくつかの例では、ワイヤレスデバイス１１５−ｅとアプリケーションの実行を共有することができる。スモールセル基地局１５０−ｉはまた、アプリケーションに関係する情報をキャッシュすることができる。
【００８２】
[0091]いくつかの例では、エッジノード機能がスモールセル基地局１５０−ｉとともに使用され得る。エッジノード機能は、たとえば、ユニバーサルシリアルバス（ＵＳＢ）ポートを介してスモールセル基地局１５０−ｉに取り付けられ得るアドオンモジュールとしてインプリメントされ得る。アドオンモジュールは、いくつかの仮想マシンにマッピングされ得る。
【００８３】
[0092]図８に、本開示の様々な態様による、ワイヤレス通信のための方法８００を示すフローチャートを示す。方法８００の動作は、図１Ａ、図１Ｂ、および図２〜図７を参照しながら説明したように、スモールセル基地局１５０、エッジコンピューティングデバイス１４５、および／またはスモールセルプラットフォーム１４０によってインプリメントされることができる。たとえば、方法８００の動作は、図１Ａ、図１Ｂ、および図４〜図７を参照しながら説明したように、スモールセル基地局１５０によって実行されることができる。いくつかの例では、スモールセル基地局１５０、エッジコンピューティングデバイス１４５、および／またはスモールセルプラットフォーム１４０は、以下で説明する機能を実行するようにスモールセル基地局１５０、エッジコンピューティングデバイス１４５、および／またはスモールセルプラットフォーム１４０の機能要素を制御するためのコードのセットを実行することができる。追加または代替として、ワイヤレスデバイスは、専用ハードウェアを使用して、以下で説明する機能態様を実行することができる。
【００８４】
[0093]ブロック８０５において、方法８００は、サービスとしてスモールセルコンピューティングリソースを与えること、ここにおいて、スモールセル中の基地局は、スモールセルコンピューティングリソースを与えるエッジコンピューティングデバイスとコロケートされる、を含む。スモールセルは、ピコセル、フェムトセル、マイクロセル、またはＷｉ−Ｆｉアクセスポイントのうちの１つであり得る。スモールセルは、ＷＷＡＮトランシーバとＷＬＡＮトランシーバとを含むことができる。いくつかの例では、基地局のワイヤレス通信リソースは、第１のモジュール中に格納され、エッジコンピューティングデバイスは、第１のモジュールと通信している第２のモジュール中に格納される。
【００８５】
[0094]方法８００は、エッジコンピューティングデバイスのスモールセルコンピューティングリソース上でアプリケーションをホストすること、アプリケーションは、スモールセル中のモバイルデバイスにとってアクセス可能である、をさらに含むことができる（８１０）。スモールセルコンピューティングリソース上でアプリケーションをホストすることは、スモールセルコンピューティングリソース上で動作するように仮想マシンを構成することと、仮想マシン上でアプリケーションをホストすることとを含むことができる。いくつかの例では、スモールセルコンピューティングリソース上でアプリケーションをホストすることは、モバイルデバイスに転送されるデータのコンテンツおよび適時性を決定するためにスモールセルコンピューティングリソースを使用することをさらに含むことができる。
【００８６】
[0095]方法８００は、第２のスモールセル基地局へのモバイルデバイスのワイヤレス通信を容易にすることをさらに含むことができる。方法８００はまた、スモールセル基地局から第２のスモールセル基地局にアプリケーションのホスティングを移転することを含むことができる。
【００８７】
[0096]いくつかの例では、方法８００は、モバイルデバイスのモバイルデバイスコンピューティングリソース上でアプリケーションを部分的に実行することと、スモールセルコンピューティングリソース上でアプリケーションを部分的に実行することとを含む。
【００８８】
[0097]アプリケーションは、サードパーティアプリケーションであり得る。方法８００は、スモールセル基地局にアプリケーションに関連するサードパーティデータをキャッシングすることをさらに含むことができる。
【００８９】
[0098]図９に、本開示の様々な態様による、ワイヤレス通信のための方法９００を示すフローチャートを示す。方法９００の動作は、図１Ａ、図１Ｂ、および図２〜図７を参照しながら説明したように、スモールセル基地局１５０、エッジコンピューティングデバイス１４５、および／またはスモールセルプラットフォーム１４０によってインプリメントされることができる。たとえば、方法９００の動作は、図１Ａ、図１Ｂ、および図４〜図７を参照しながら説明したように、スモールセル基地局１５０によって実行されることができる。いくつかの例では、スモールセル基地局１５０、エッジコンピューティングデバイス１４５、および／またはスモールセルプラットフォーム１４０は、以下で説明する機能を実行するようにスモールセル基地局１５０、エッジコンピューティングデバイス１４５、および／またはスモールセルプラットフォーム１４０の機能要素を制御するためのコードのセットを実行することができる。追加または代替として、ワイヤレスデバイスは、専用ハードウェアを使用して、以下で説明する機能態様を実行することができる。
【００９０】
[0099]方法９００は、ブロック９０５において開始し、ワイヤレスデバイスからアプリケーションをホストしたいという要求を受信することができる。方法９００は、ブロック９１０において、スモールセル基地局がアプリケーションをホストするのに十分なコンピューティングリソースを有するのかどうかを決定することができる。そうでない場合、スモールセル基地局は、ブロック９１５において、アプリケーションをホストしないことがある。ただし、スモールセル基地局がアプリケーションをホストするのに十分なコンピューティングリソースを有しない場合、方法９００は、スモールセル基地局とワイヤレスデバイスとがアプリケーションをホストするのに十分なリソースを一緒に有するのかどうかを決定することを含むことができる。さらに、スモールセル基地局は、スモールセル基地局とコロケートされた基地局からのリソースを活用することができる。
【００９１】
[0100]方法９００が、アプリケーションをホストするのに十分なリソースがあると決定する場合、方法９００は、ブロック９２０に進み、ワイヤレスデバイスが別のスモールセル基地局に関連付けられるのかどうかを決定する。そうである場合、方法９００は、ブロック９２５に進み、ワイヤレスデバイスと第２のスモールセル基地局との間のワイヤレス通信を容易にする。方法９００は、ブロック９３０において、第２のスモールセル基地局にアプリケーションをホストすることを移転することができる。
【００９２】
[0101]ワイヤレスデバイスが別のスモールセル基地局に関連付けられない場合、方法９００は、ブロック９３５において、アプリケーションをホストすることに進む。ブロック９４０において、方法９００は、ワイヤレスデバイスがホストアプリケーションを実行するのを助けるために追加のリソースを有するのかどうかを決定することができる。そうである場合、方法９００は、ブロック９４５において、ワイヤレスデバイスのリソースを使用してアプリケーションを部分的に実行することを含む。次いで、ワイヤレスデバイスがアプリケーションを部分的に実行し得るのかどうかにかかわらず、本方法は、ブロック９２０に戻り、ワイヤレスデバイスが別のスモールセル基地局に関連付けられるようになったのかどうかを監視する。方法９００は、これを監視し、もはやアプリケーションをホストする必要がなくなるまでアプリケーションをホストすることに進む。
【００９３】
[0102]したがって、方法８００および９００は、スモールセル基地局のためのネットワーク負荷を低減することを提供し得る。これらの方法は、可能なインプリメンテーションについて説明すること、ならびに動作およびステップは、他のインプリメンテーションが可能になるように並べ替えられるかまたは場合によっては修正され得ることに留意されたい。いくつかの例では、方法８００および９００のうちの２つ以上からの態様が組み合わされ得る。
【００９４】
[0103]添付の図面に関して上記に記載した発明を実施するための形態は、例を説明しており、インプリメントされ得るまたは特許請求の範囲内に入る唯一の例を表すものではない。「例」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明する例の概念を不明瞭にすることを回避するために、よく知られている構造および装置がブロック図の形式で示されている。
【００９５】
[0104]情報および信号は、多種多様な技術および技法のいずれかを使用して表されることができる。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表されることができる。
【００９６】
[0105]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いてインプリメントまたは実行されることができる。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としてもインプリメントされることができる。
【００９７】
[0106]本明細書で説明する機能は、ハードウェア、プロセッサによって実行されるソフトウェア、ファームウェア、またはそれらの任意の組合せでインプリメントされることができる。プロセッサによって実行されるソフトウェアにおいてインプリメントされる場合、機能は、１つまたは複数の命令またはコードとしてコンピュータ可読媒体上に記憶されるか、またはコンピュータ可読媒体を介して送信されることができる。他の例およびインプリメンテーションは、本開示および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用してインプリメントされることができる。機能をインプリメントする特徴はまた、機能の部分が、異なる物理的ロケーションにおいてインプリメントされるように分散されることを含めて、様々な位置に物理的に配置されることができる。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用されることができることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９８】
[0107]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用されることができ、汎用コンピュータもしくは専用コンピュータ、または汎用プロセッサもしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せもコンピュータ可読媒体の範囲内に含まれる。
【００９９】
[0108]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用されることができる。したがって、本開示は、本明細書で説明した例および設計に限定されるべきでなく、本明細書で開示される原理および新規の特徴に合致する最も広い範囲を与えられるべきである。
【図１Ａ】
2018525946.tif 000003
【図１Ｂ】
2018525946.tif 000004
【図２】
2018525946.tif 000005
【図３】
2018525946.tif 000006
【図４】
2018525946.tif 000007
【図５】
2018525946.tif 000008
【図６】
2018525946.tif 000009
【図７】
2018525946.tif 000010
【図８】
2018525946.tif 000011
【図９】
2018525946.tif 000012
【国際調査報告】
2018525946.tif 000013
2018525946.tif 000014
2018525946.tif 000015